(57)【要約】【課題】ＵＳＢ電話機の発音体あるいはスピーカから呼び出し音を鳴らしてユーザに着呼を通知することができるインターネット電話装置およびインターネット電話システムを提供することを目的とする。【解決手段】インターネット電話手段を有するパソコン６と、ＵＳＢ経由で音声をやり取りするＵＳＢ電話機９とを有するインターネット電話装置であって、ＵＳＢ電話機９は、ＵＳＢ８経由でパソコン６と音声データおよびデータをやり取りするＵＳＢインタフェース部１０と、事前に設定した呼び出し音の音声データを記憶した呼び出し音波形データ記憶部１２と、ＵＳＢインタフェース部１０からの音声データと呼び出し音波形データ記憶部１２に記憶されたデータとの比較を行う比較部１３と、比較部１３の比較結果に応じたベル駆動信号を出力するベル駆動部１６と、ベル駆動信号によって呼び出し音を出力する発音体１７とを有する。【選択図】　図１
2004128789.tif 000002
【特許請求の範囲】
【請求項１】
インターネット網を通じて通話ができるインターネット電話手段を有するパソコンと、前記インターネット電話手段の音声デバイスとしてＵＳＢ経由で音声をやり取りするＵＳＢ電話機とを有するインターネット電話装置であって、
前記ＵＳＢ電話機は、ＵＳＢ経由で前記パソコンと音声データおよびデータをやり取りするＵＳＢインタフェース部と、事前に設定した呼び出し音の音声データを記憶した呼び出し音波形データ記憶部と、前記ＵＳＢインタフェース部からの音声データと前記呼び出し音波形データ記憶部に記憶されたデータとの比較を行う比較部と、前記比較部の比較結果に応じたベル駆動信号を出力するベル駆動部と、前記ベル駆動信号によって呼び出し音を出力する発音体とを有することを特徴とするインターネット電話装置。
【請求項２】
インターネット網を通じて通話ができるインターネット電話手段を有するパソコンと、前記インターネット電話手段からＵＳＢ経由で受信した音声データを処理してアナログ電話機へ出力すると共に前記アナログ電話機からの音声信号を音声データとして出力するＵＳＢ電話アダプタとを有するインターネット電話装置であって、
前記ＵＳＢ電話アダプタは、ＵＳＢ経由で前記パソコンと音声データおよびデータをやり取りするＵＳＢインタフェース部と、事前に設定した呼び出し音の音声データを記憶した呼び出し音波形データ記憶部と、前記ＵＳＢインタフェース部からの音声データと前記呼び出し音波形データ記憶部に記憶されたデータとの比較を行う比較部と、ＵＳＢ経由で受信した音声データを音声信号に変換して前記アナログ電話機に出力すると共に前記アナログ電話機からの音声信号を音声データに変換して出力する加入者回線部と、前記アナログ電話機にベル信号を送るベル信号生成部と、前記比較部における比較結果に応じて前記アナログ電話機の接続先を前記加入者回線部または前記ベル信号生成部へ切り替える回線切替え部とを有することを特徴とするインターネット電話装置。
【請求項３】
インターネット網を通じて通話ができるインターネット電話手段を有するパソコンと、前記インターネット電話手段からＵＳＢ経由で受信した音声データを処理してアナログ電話機へ出力すると共に前記アナログ電話機からの音声信号を音声データとして出力するＵＳＢ電話アダプタとを有するインターネット電話装置であって、
前記ＵＳＢ電話アダプタは、前記パソコンへＵＳＢ仕様に準拠した有音無音に対応したオルタネート番号を設定することができると共に前記パソコンからの有音無音のオルタネート番号を受信できるＵＳＢインタフェース部と、ＵＳＢ経由で受信した音声データを音声信号に変換して前記アナログ電話機に出力すると共に前記アナログ電話機からの音声信号を音声データに変換して出力する加入者回線部と、前記アナログ電話機にベル信号を送るベル信号生成部と、前記ＵＳＢインタフェース部のオルタネート番号を検出して回線制御信号を出力するオルタネート番号検出部と、前記回線制御信号に応じて前記アナログ電話機の接続先を加入者回線部またはベル信号生成部へ切り替える回線切替え部とを有することを特徴とするインターネット電話装置。
【請求項４】
前記オルタネート番号検出部は、有音のオルタネート番号を検出して前記アナログ電話機のベルを鳴らしているときに、相手がインターネット電話を切り、着呼側インターネット電話手段がそれを検知してＵＳＢ電話アダプタに無音のオルタネート番号を送出したとき、相手が電話を切ったものとしてベル信号の送出を止めることを特徴とする請求項３に記載のインターネット電話装置。
【請求項５】
インターネット網を通じて通話ができるインターネット電話手段を有するパソコンと、前記インターネット電話手段からＵＳＢ経由で受信した音声データを処理してアナログ電話機へ出力すると共に前記アナログ電話機からの音声信号を音声データとして出力するＵＳＢ電話アダプタとを有するインターネット電話装置であって、
前記パソコンは、事前に設定した呼び出し音の音声データを記憶した呼び出し音波形データ記憶部と、インターネット網から受信した音声データと前記呼び出し音波形データ記憶部に記憶されたデータとの比較を行うと共に比較結果に応じた回線制御信号を出力する比較部とを有し、
前記ＵＳＢ電話アダプタは、ＵＳＢ経由で受信した音声データを音声信号に変換して前記アナログ電話機に出力すると共に前記アナログ電話機からの音声信号を音声データに変換して出力する加入者回線部と、前記アナログ電話機にベル信号を送るベル信号生成部と、前記回線制御信号に応じて前記アナログ電話機の接続先を加入者回線部またはベル信号生成部へ切り替える回線切替え部とを有することを特徴とするインターネット電話装置。
【請求項６】
インターネット網を通じて通話ができるインターネット電話手段を有するパソコンと、前記インターネット電話手段からＵＳＢ経由で受信した音声データを処理してアナログ電話機へ出力すると共に前記アナログ電話機からの音声信号を音声データとして出力するＵＳＢ電話アダプタとを有するインターネット電話装置であって、
前記ＵＳＢ電話アダプタは、ＵＳＢ経由で受信した音声データを音声信号に変換して前記アナログ電話機に出力すると共に前記アナログ電話機からの音声信号を音声データに変換して出力する加入者回線部と、前記アナログ電話機のオフフックを検出するフックアップ検知部と、前記アナログ電話機からのＤＴＭＦ信号を検出してＤＴＭＦ情報を通知するＤＴＭＦ検出部と、前記ＤＴＭＦ検出部からのＤＴＭＦ情報および前記フックアップ検知部からのフック情報をＵＳＢデバイスとして標準的に認識されるＵＳＢキーボードのキー信号に変換するキー信号変換部と、前記キー信号を送出するＵＳＢインタフェース部とを有することを特徴とするインターネット電話装置。
【請求項７】
インターネット網を通じて通話ができるインターネット電話手段を有するパソコンと、電話回線から受信した音声信号を音声データに変換して前記パソコンへ出力すると共に前記パソコンからの音声データを音声信号に変換して電話回線へ送出するＵＳＢ電話アダプタとを有するインターネット電話装置であって、
前記ＵＳＢ電話アダプタは、ベル信号を検知するベル信号検知部と、ベル信号を検知した場合にはあらかじめ定められた手順でＵＳＢで標準に認識されるキーボードの情報として送出するキー信号生成部と、前記キーボードの情報を前記パソコンへ送信するＵＳＢインタフェース部とを有することを特徴とするインターネット電話装置。
【請求項８】
インターネット網を通じて通話ができるインターネット電話手段を有するパソコンと、電話回線から受信した音声信号を音声データに変換して前記パソコンへ出力すると共に前記パソコンからの音声データを音声信号に変換して電話回線へ送出するＵＳＢ電話アダプタとを有するインターネット電話装置であって、
前記ＵＳＢ電話アダプタは、ベル信号を検知するベル信号検知部と、ベル信号を検知した場合にはあらかじめ設定された呼出音を音声データとして送出する呼出音生成部と、前記呼出音としての音声データを前記パソコンへ送信するＵＳＢインタフェース部とを有することを特徴とするインターネット電話装置。
【請求項９】
前記ＵＳＢ電話アダプタは、相手側パソコンからのＤＴＭＦ音を検出するＤＴＭＦ検出部と、前記ＤＴＭＦ検出部におけるＤＴＭＦ音に応じて電話回線への接続接断をコントロールする電話回線接続部とを有することを特徴とする請求項８に記載のインターネット電話装置。
【請求項１０】
インターネット網を通じて通話ができるインターネット電話手段を有する発呼側パソコンと着呼側パソコンと、電話回線から受信した音声信号を音声データに変換してＵＳＢ経由で前記発呼側パソコンへ出力すると共に前記発呼側パソコンからの音声データを音声信号に変換して電話回線へ送出する発呼側ＵＳＢ電話アダプタと、前記着呼側パソコンからＵＳＢ経由で受信した音声データを処理してアナログ電話機へ出力すると共に前記アナログ電話機からの音声信号を音声データとして出力する着呼側ＵＳＢ電話アダプタとを有するインターネット電話システムであって、
前記着呼側ＵＳＢ電話アダプタは、前記アナログ電話機のオフフックを検出するフックアップ検知部と、前記フックアップ検知部でオンフックを検知したときはオンフック音データを出力するオンフック音データ発生部と、前記フックアップ検知部でオフフックを検知したときはオフフック音データを出力するオフフック音データ発生部とを有し、
前記発呼側ＵＳＢ電話アダプタは、前記オンフック音データを記憶するオンフック音データ記憶部と、前記オフフック音データを記憶するオフフック音データ記憶部と、前記記憶したオンフック音データまたはオフフック音データと前記着呼側ＵＳＢ電話アダプタからの音声データとを比較する比較部と、前記比較部からの一致信号に応じて電話回線への接続切断をコントロールする電話回線接続部とを有することを特徴とするインターネット電話システム。
【発明の詳細な説明】
【０００１】
【発明の属する技術分野】
本発明は、インターネット網を介して音声通信を行うインターネット電話手段を有するパソコンと、前記パソコンに接続されるＵＳＢ電話機またはＵＳＢ電話アダプタとを有するインターネット電話装置、そのインターネット電話装置を用いたインターネット電話システムに関するものである。
【０００２】
【従来の技術】
図１１は、従来のインターネット電話装置を有するインターネット電話システムを示すブロック図である。このシステムは、パソコン間でインターネット網を介して音声通話を行うものである。
【０００３】
図１１において、１は音声の入力を行うマイク、２は音声の出力を行うスピーカ、３はマイク１、スピーカ２およびインターネット網５とのインタフェースを有しインターネット電話手段としてのインターネット電話ソフト４（後述）の処理を行うパソコン、４はマイク１およびスピーカ２を使用して音声信号の入出力を行い、インターネット網５を通じてインターネット電話を行うインターネット電話ソフト、６はインターネット網５および後述のＵＳＢ８とのインタフェースを有しインターネット電話手段としてのインタネット電話ソフト７（後述）の処理を行うパソコン、７はインターネット網５から受信した音声データをＵＳＢ８に送信すると同時にＵＳＢ８から受信した音声データをインターネット網５へ送信するインターネット電話手段としてのインターネット電話ソフト、８は音声データのシリアル通信を行うＵＳＢ、９は後述のＵＳＢインタフェース部１０、ハンドセット駆動部１４を有するＵＳＢ電話機、１０はＵＳＢ８経由でデータの送受信を行うＵＳＢインタフェース部、１４はＵＳＢインタフェース部１０からの音声データをアナログ音声信号に変換してハンドセット１５へ送るハンドセット駆動部、１５は音声の入出力を行うハンドセットである。
【０００４】
ここでパソコン３内のインターネット電話ソフト４からパソコン６内のインターネット電話ソフト７へ着信して通話する場合の動作を説明する。
【０００５】
インターネット電話ソフト４がインターネット電話ソフト７と音声通信を行いたい場合、インターネット電話ソフト４は、インターネット網５を介して、パソコン６に発呼データを送る。発呼データを受けたインターネット電話ソフト７は呼び出し音データをＵＳＢ８に送る。ＵＳＢ電話機９は、ＵＳＢインタフェース部１０から呼び出し音データを受け、ハンドセット駆動部１４を介して、ハンドセット１５から呼び出し音を出力する。ユーザがインターネット電話ソフト７に対して接続操作を行うと、インターネット電話ソフト７は、インターネット網５を介してパソコン４へ着呼許可データを送ると同時に通話状態となり、ＵＳＢ８を介して受信したＵＳＢ電話機９からの音声データをインターネット網５を介してパソコン３へ送信すると共にパソコン３からインターネット網５を介して受信した音声データをＵＳＢ電話機９に送信する。また、インターネット電話ソフト４も通話状態となり、マイク１からの音声信号を音声データに変換してインターネット網５を介してパソコン６へ送信すると同時に、パソコン６からの音声データを音声信号に変換してスピーカ２へ出力する。（例えば、特許文献１。）
【０００６】
【特許文献１】
特開２００１−８６２０９号公報
【０００７】
【発明が解決しようとする課題】
従来のインターネット電話装置においては、ＵＳＢ電話機９およびハンドセット１５はマイク、スピーカ２の機能しか持たないという問題点を有していた。すなわち、インターネット電話ソフト４を用いるＵＳＢ電話機９またはアナログ電話機と接続できるＵＳＢ電話アダプタのベル鳴動制御信号はＵＳＢで規定されていない為、ＵＳＢ電話機ま９たはＵＳＢ電話アダプタは着呼の有無を検知することが出来ず、発音体あるいはスピーカ２から呼び出し音を鳴らすことが出来ないという問題点を有していた。
【０００８】
このインターネット電話装置およびインターネット電話システムでは、着呼の有無を着信音またはＵＳＢ上の有音のプロトコルで検出し、ＵＳＢ電話機９の発音体あるいはスピーカ２から呼び出し音を鳴らしてユーザに着呼を通知することが要求され、また、ＵＳＢを介して通常のアナログ電話機に接続する為のＵＳＢ電話アダプタにおいて、着呼の有無を検出し、ＵＳＢ電話アダプタに接続されたアナログ電話機に対して着信を知らせるベル信号を送出してベルを鳴らし、ユーザに着呼を通知することが要求されている。
【０００９】
本発明は、これらの要求を満たすため、ＵＳＢ電話機の発音体あるいはスピーカから呼び出し音を鳴らしてユーザに着呼を通知することができるインターネット電話装置、および、ＵＳＢ電話アダプタに接続されたアナログ電話機に対して着信を知らせるベル信号を送出してユーザに着呼を通知することができるインターネット電話装置、ならびに、ＵＳＢ電話アダプタに接続されたアナログ電話機に対して着信を知らせるベル信号を送出してユーザに着呼を通知することができるインターネット電話システムを提供するものである。
【００１０】
【課題を解決するための手段】
上記課題を解決するために本発明のインターネット電話装置は、インターネット網を通じて通話ができるインターネット電話手段を有するパソコンと、インターネット電話手段の音声デバイスとしてＵＳＢ経由で音声をやり取りするＵＳＢ電話機とを有するインターネット電話装置であって、ＵＳＢ電話機は、ＵＳＢ経由でパソコンと音声データおよびデータをやり取りするＵＳＢインタフェース部と、事前に設定した呼び出し音の音声データを記憶した呼び出し音波形データ記憶部と、ＵＳＢインタフェース部からの音声データと呼び出し音波形データ記憶部に記憶されたデータとの比較を行う比較部と、比較部の比較結果に応じたベル駆動信号を出力するベル駆動部と、ベル駆動信号によって呼び出し音を出力する発音体とを有する構成を備えている。
【００１１】
これにより、ＵＳＢ電話機の発音体あるいはスピーカから呼び出し音を鳴らしてユーザに着呼を通知することができるインターネット電話装置がえられる。
【００１２】
また、上記課題を解決するために本発明のインターネット電話装置は、インターネット網を通じて通話ができるインターネット電話手段を有するパソコンと、インターネット電話手段からＵＳＢ経由で受信した音声データを処理してアナログ電話機へ出力すると共にアナログ電話機からの音声信号を音声データとして出力するＵＳＢ電話アダプタとを有するインターネット電話装置であって、ＵＳＢ電話アダプタは、ＵＳＢ経由でパソコンと音声データおよびデータをやり取りするＵＳＢインタフェース部と、事前に設定した呼び出し音の音声データを記憶した呼び出し音波形データ記憶部と、ＵＳＢインタフェース部からの音声データと呼び出し音波形データ記憶部に記憶されたデータとの比較を行う比較部と、ＵＳＢ経由で受信した音声データを音声信号に変換してアナログ電話機に出力すると共にアナログ電話機からの音声信号を音声データに変換して出力する加入者回線部と、アナログ電話機にベル信号を送るベル信号生成部と、比較部における比較結果に応じてアナログ電話機の接続先を加入者回線部またはベル信号生成部へ切り替える回線切替え部とを有する構成を備えている。
【００１３】
これにより、ＵＳＢ電話アダプタに接続されたアナログ電話機に対して着信を知らせるベル信号を送出してユーザに着呼を通知することができるインターネット電話装置が得られる。
【００１４】
上記課題を解決するために本発明のインターネット電話システムは、インターネット網を通じて通話ができるインターネット電話手段を有する発呼側パソコンと着呼側パソコンと、電話回線から受信した音声信号を音声データに変換してＵＳＢ経由で発呼側パソコンへ出力すると共に発呼側パソコンからの音声データを音声信号に変換して電話回線へ送出する発呼側ＵＳＢ電話アダプタと、着呼側パソコンからＵＳＢ経由で受信した音声データを処理してアナログ電話機へ出力すると共にアナログ電話機からの音声信号を音声データとして出力する着呼側ＵＳＢ電話アダプタとを有するインターネット電話システムであって、着呼側ＵＳＢ電話アダプタは、アナログ電話機のオフフックを検出するフックアップ検知部と、フックアップ検知部でオンフックを検知したときはオンフック音データを出力するオンフック音データ発生部と、フックアップ検知部でオフフックを検知したときはオフフック音データを出力するオフフック音データ発生部とを有し、発呼側ＵＳＢ電話アダプタは、オンフック音データを記憶するオンフック音データ記憶部と、オフフック音データを記憶するオフフック音データ記憶部と、記憶したオンフック音データまたはオフフック音データと着呼側ＵＳＢ電話アダプタからの音声データとを比較する比較部と、比較部からの一致信号に応じて電話回線への接続切断をコントロールする電話回線接続部とを有する構成を備えている。
【００１５】
これにより、ＵＳＢ電話アダプタに接続されたアナログ電話機に対して着信を知らせるベル信号を送出してユーザに着呼を通知することができるインターネット電話システムがえられる。
【００１６】
【発明の実施の形態】
本発明の請求項１に記載のインターネット電話装置は、インターネット網を通じて通話ができるインターネット電話手段を有するパソコンと、インターネット電話手段の音声デバイスとしてＵＳＢ経由で音声をやり取りするＵＳＢ電話機とを有するインターネット電話装置であって、ＵＳＢ電話機は、ＵＳＢ経由でパソコンと音声データおよびデータをやり取りするＵＳＢインタフェース部と、事前に設定した呼び出し音の音声データを記憶した呼び出し音波形データ記憶部と、ＵＳＢインタフェース部からの音声データと呼び出し音波形データ記憶部に記憶されたデータとの比較を行う比較部と、比較部の比較結果に応じたベル駆動信号を出力するベル駆動部と、ベル駆動信号によって呼び出し音を出力する発音体とを有することとしたものである。
【００１７】
この構成により、パソコンからＵＳＢを介して送られてくる音声データと事前に記憶しておいた呼び出し音の音声データとを比較して呼び出し音の有無を検知し、呼び出し音が検知された場合はＵＳＢ電話機の発音体あるいはスピーカから呼び出し音を出力することができるので、インターネット電話ソフトに依存することなくユーザに着信を通知することができる作用を有する。
【００１８】
請求項２に記載のインターネット電話装置は、インターネット網を通じて通話ができるインターネット電話手段を有するパソコンと、インターネット電話手段からＵＳＢ経由で受信した音声データを処理してアナログ電話機へ出力すると共にアナログ電話機からの音声信号を音声データとして出力するＵＳＢ電話アダプタとを有するインターネット電話装置であって、ＵＳＢ電話アダプタは、ＵＳＢ経由でパソコンと音声データおよびデータをやり取りするＵＳＢインタフェース部と、事前に設定した呼び出し音の音声データを記憶した呼び出し音波形データ記憶部と、ＵＳＢインタフェース部からの音声データと呼び出し音波形データ記憶部に記憶されたデータとの比較を行う比較部と、ＵＳＢ経由で受信した音声データを音声信号に変換してアナログ電話機に出力すると共にアナログ電話機からの音声信号を音声データに変換して出力する加入者回線部と、アナログ電話機にベル信号を送るベル信号生成部と、比較部における比較結果に応じてアナログ電話機の接続先を加入者回線部またはベル信号生成部へ切り替える回線切替え部とを有することとしたものである。
【００１９】
この構成により、アナログ電話機に接続できるＵＳＢ電話アダプタを使用し、パソコンからＵＳＢを介して送られてくる音声データと事前に記憶しておいた呼び出し音の音声データとを比較して呼び出し音の有無を検知し、呼び出し音が検知されかつアナログ電話機の受話器が置かれている場合はＵＳＢ電話アダプタに接続しているアナログ電話機にベル信号を送り、アナログ電話機の発音体あるいはスピーカから呼び出し音を出力することができるので、インターネット電話ソフトに依存することなくユーザに着信を通知することができるという作用を有する。
【００２０】
請求項３に記載のインターネット電話装置は、インターネット網を通じて通話ができるインターネット電話手段を有するパソコンと、インターネット電話手段からＵＳＢ経由で受信した音声データを処理してアナログ電話機へ出力すると共にアナログ電話機からの音声信号を音声データとして出力するＵＳＢ電話アダプタとを有するインターネット電話装置であって、ＵＳＢ電話アダプタは、パソコンへＵＳＢ仕様に準拠した有音無音に対応したオルタネート番号を設定することができると共にパソコンからの有音無音のオルタネート番号を受信できるＵＳＢインタフェース部と、ＵＳＢ経由で受信した音声データを音声信号に変換してアナログ電話機に出力すると共にアナログ電話機からの音声信号を音声データに変換して出力する加入者回線部と、アナログ電話機にベル信号を送るベル信号生成部と、ＵＳＢインタフェース部のオルタネート番号を検出して回線制御信号を出力するオルタネート番号検出部と、回線制御信号に応じてアナログ電話機の接続先を加入者回線部またはベル信号生成部へ切り替える回線切替え部とを有することとしたものである。
【００２１】
この構成により、インターネット電話が着信してパソコンがＵＳＢ電話を呼び出すため有音の設定とした場合、ＵＳＢインタフェース部でオルタネート番号の有音、無音の状態をうけとり、着呼状態により有音と定義されたオルタネート番号が検知された場合でかつ受話器がオンフックの場合はアナログ電話機にベル信号を送り、アナログ電話機から呼び出し音を出力することができるので、インターネット電話ソフトに依存することなくユーザに着信を通知することができるという作用を有する。
【００２２】
請求項４に記載のインターネット電話装置は、請求項３に記載のインターネット電話装置において、オルタネート番号検出部は、有音のオルタネート番号を検出してアナログ電話機のベルを鳴らしているときに、相手がインターネット電話を切り、着呼側インターネット電話手段がそれを検知してＵＳＢ電話アダプタに無音のオルタネート番号を送出したとき、相手が電話を切ったものとしてベル信号の送出を止めることとしたものである。
【００２３】
この構成により、インターネット電話経由の着呼があり、ベル信号を送っている間に、相手が電話を切り、インターネット電話ソフトの呼出が止まり、オルタネート番号が無音の設定になった場合、無音のオルタネート番号をオルタネート番号検出部へ伝えることができるので、回線切替え部を加入者回線部へ切り替えてベル信号の送出を止めることができるという作用を有する。
【００２４】
請求項５に記載のインターネット電話装置は、インターネット網を通じて通話ができるインターネット電話手段を有するパソコンと、インターネット電話手段からＵＳＢ経由で受信した音声データを処理してアナログ電話機へ出力すると共にアナログ電話機からの音声信号を音声データとして出力するＵＳＢ電話アダプタとを有するインターネット電話装置であって、パソコンは、事前に設定した呼び出し音の音声データを記憶した呼び出し音波形データ記憶部と、インターネット網から受信した音声データと呼び出し音波形データ記憶部に記憶されたデータとの比較を行うと共に比較結果に応じた回線制御信号を出力する比較部とを有し、ＵＳＢ電話アダプタは、ＵＳＢ経由で受信した音声データを音声信号に変換してアナログ電話機に出力すると共にアナログ電話機からの音声信号を音声データに変換して出力する加入者回線部と、アナログ電話機にベル信号を送るベル信号生成部と、回線制御信号に応じてアナログ電話機の接続先を加入者回線部またはベル信号生成部へ切り替える回線切替え部とを有することとしたものである。
【００２５】
この構成により、パソコン内部で呼び出し音が検知された場合はＵＳＢ経由で回線切替え部を制御し、アナログ電話機にベル信号を送り、アナログ電話機の発音体あるいはスピーカから呼び出し音を出力して、ユーザに着信を通知することができると共に、呼び出し音波形データ記憶部と比較部とをパソコンに設けたことにより、ＵＳＢ電話アダプタの小型化を図ることができるという作用を有する。
【００２６】
請求項６に記載のインターネット電話装置は、インターネット網を通じて通話ができるインターネット電話手段を有するパソコンと、インターネット電話手段からＵＳＢ経由で受信した音声データを処理してアナログ電話機へ出力すると共にアナログ電話機からの音声信号を音声データとして出力するＵＳＢ電話アダプタとを有するインターネット電話装置であって、ＵＳＢ電話アダプタは、ＵＳＢ経由で受信した音声データを音声信号に変換してアナログ電話機に出力すると共にアナログ電話機からの音声信号を音声データに変換して出力する加入者回線部と、アナログ電話機のオフフックを検出するフックアップ検知部と、アナログ電話機からのＤＴＭＦ信号を検出してＤＴＭＦ情報を通知するＤＴＭＦ検出部と、ＤＴＭＦ検出部からのＤＴＭＦ情報およびフックアップ検知部からのフック情報をＵＳＢデバイスとして標準的に認識されるＵＳＢキーボードのキー信号に変換するキー信号変換部と、キー信号を送出するＵＳＢインタフェース部とを有することとしたものである。
【００２７】
この構成により、ＵＳＢ電話アダプタに接続したアナログ電話機のフック動作およびキー押下によるＤＴＭＦ信号を通常のキーボード入力と同等にインターネット電話ソフトにおいて取り扱うことができるので、インターネット電話ソフトの種類に依存することなく発着呼動作を行うことができるという作用を有する。
【００２８】
請求項７に記載のインターネット電話装置は、インターネット網を通じて通話ができるインターネット電話手段を有するパソコンと、電話回線から受信した音声信号を音声データに変換してパソコンへ出力すると共にパソコンからの音声データを音声信号に変換して電話回線へ送出するＵＳＢ電話アダプタとを有するインターネット電話装置であって、ＵＳＢ電話アダプタは、ベル信号を検知するベル信号検知部と、ベル信号を検知した場合にはあらかじめ定められた手順でＵＳＢで標準に認識されるキーボードの情報として送出するキー信号生成部と、キーボードの情報をパソコンへ送信するＵＳＢインタフェース部とを有することとしたものである。
【００２９】
この構成により、パソコンからはＵＳＢキーボードと認識されるキー信号発生部にあらかじめインターネット電話ソフトの発呼シーケンスと転送先の電話番号とを設定することができるので、転送動作が可能になるという作用を有する。
【００３０】
請求項８に記載のインターネット電話装置は、インターネット網を通じて通話ができるインターネット電話手段を有するパソコンと、電話回線から受信した音声信号を音声データに変換してパソコンへ出力すると共にパソコンからの音声データを音声信号に変換して電話回線へ送出するＵＳＢ電話アダプタとを有するインターネット電話装置であって、ＵＳＢ電話アダプタは、ベル信号を検知するベル信号検知部と、ベル信号を検知した場合にはあらかじめ設定された呼出音を音声データとして送出する呼出音生成部と、呼出音としての音声データをパソコンへ送信するＵＳＢインタフェース部とを有することとしたものである。
【００３１】
この構成により、ＵＳＢ電話アダプタに電話回線から着信があり、発呼する相手がインターネット電話であった場合または常にインターネット電話が相手側と常時接続で通話状態にしてある場合、相手側に着信であることを知らせるためにあらかじめ相手側に記憶した波形を相手側に送出し、相手側は、記憶している呼出音の波形と一致した場合、ＵＳＢ電話アダプタに接続しているアナログ電話機にベル信号を送出して相手側の電話を呼び出すことができるので、インターネット電話ソフトの種類に依存しないで、ユーザに呼び出しを通知することができるという作用を有する。
【００３２】
請求項９に記載のインターネット電話装置は、請求項８に記載のインターネット電話装置において、ＵＳＢ電話アダプタは、相手側パソコンからのＤＴＭＦ音を検出するＤＴＭＦ検出部と、ＤＴＭＦ検出部におけるＤＴＭＦ音に応じて電話回線への接続接断をコントロールする電話回線接続部とを有することとしたものである。
【００３３】
この構成により、ＵＳＢ電話アダプタの電話回線接続部をＤＴＭＦ音によって制御することができ、自在に電話回線の接続、切断をコントロールすることができるという作用を有する。
【００３４】
請求項１０に記載のインターネット電話システムは、インターネット網を通じて通話ができるインターネット電話手段を有する発呼側パソコンと着呼側パソコンと、電話回線から受信した音声信号を音声データに変換してＵＳＢ経由で発呼側パソコンへ出力すると共に発呼側パソコンからの音声データを音声信号に変換して電話回線へ送出する発呼側ＵＳＢ電話アダプタと、着呼側パソコンからＵＳＢ経由で受信した音声データを処理してアナログ電話機へ出力すると共にアナログ電話機からの音声信号を音声データとして出力する着呼側ＵＳＢ電話アダプタとを有するインターネット電話システムであって、着呼側ＵＳＢ電話アダプタは、アナログ電話機のオフフックを検出するフックアップ検知部と、フックアップ検知部でオンフックを検知したときはオンフック音データを出力するオンフック音データ発生部と、フックアップ検知部でオフフックを検知したときはオフフック音データを出力するオフフック音データ発生部とを有し、発呼側ＵＳＢ電話アダプタは、オンフック音データを記憶するオンフック音データ記憶部と、オフフック音データを記憶するオフフック音データ記憶部と、記憶したオンフック音データまたはオフフック音データと着呼側ＵＳＢ電話アダプタからの音声データとを比較する比較部と、比較部からの一致信号に応じて電話回線への接続切断をコントロールする電話回線接続部とを有することとしたものである。
【００３５】
この構成により、着呼側に接続されたアナログ電話機のフック状態の変化に応じて特定の音声データを発呼側ＵＳＢ電話アダプタに送出し、発呼側ＵＳＢ電話アダプタ内でこの特定の音声データを検出し、それに応じて接続している電話回線への接続切断をコントロールすることができるので、どのようなインターネット電話ソフトでも着呼側のアナログ電話機のフック操作に応じて発呼側の電話回線への接続切断をコントロールすることができるという作用を有する。
【００３６】
以下、本発明の実施の形態について、図１〜図１０を用いて説明する。
【００３７】
（実施の形態１）
図１は、本発明の実施の形態１によるインターネット電話装置を有するインターネット電話システムを示すブロック図である。本実施の形態によるインターネット電話装置は、音声データと呼び出し音波形記憶部のデータとを比較して着呼を検知するＵＳＢ電話機を用いたインターネット電話装置である。
【００３８】
図１において、マイク１、スピーカ２、パソコン３、６、インターネット電話手段としてのインターネット電話ソフト４、７、インターネット網５、ＵＳＢ８、ＵＳＢ電話機９、ＵＳＢインタフェース部１０、ハンドセット駆動部１４、ハンドセット１５は図１１と同様のものであり、同一符号を付し、説明は省略する。１１は呼び出し音波形を呼び出し後述の音波形データ記憶部１２に書き込む呼び出し音波形データ書込み部、１２は呼び出し音波形データを記憶する呼び出し音波形データ記憶部、１３は音声データと呼び出し音波形データ記憶部１２に記憶されたデータとを比較して一致していれば一致信号を出力する比較部、１６は一致信号を受けて後述の発音体１７を駆動するベル駆動部、１７は呼び出し音を出力する発音体である。ＵＳＢ電話機９は、ＵＳＢインタフェース部１０，呼び出し音波形データ書込み部１１、呼び出し音波形データ記憶部１２、比較部１３、ハンドセット駆動部１４、ベル駆動部１６、発音体１７から構成される着呼側ＵＳＢ電話機である。
【００３９】
ここで、インターネット電話装置とはインターネット電話ソフトを有する装置であり、図１においては、マイク１とスピーカ２とパソコン３とから成る装置およびパソコン６とＵＳＢ８とＵＳＢ電話機９とハンドセット１５とから成る装置である。
【００４０】
このように構成されたインターネット電話システムについて、その動作を説明する。
【００４１】
インターネット電話手段としてのインターネット電話ソフト４からインターネット電話ソフト７を呼び出すと、インターネット電話ソフト７は呼び出し音データをＵＳＢ８に送る。呼出音波形データ記憶部１２には、事前に呼出音が鳴っているときに呼出音波形データ書き込み部１１をＯＮして呼出音の波形を記憶してある。ＵＳＢ電話機９は、ＵＳＢインタフェース部１０からＵＳＢ８経由の呼び出し音データを受け、その呼び出し音データと呼び出し音波形データ記憶部１２に記憶されたデータとを比較部１３で比較し、一致した場合は一致信号をベル駆動部１６へ出力する。一致信号を入力したベル駆動部１６は、発音体１７を駆動して呼び出し音を出力し、ユーザに着呼を通知する。
【００４２】
このようにして、着信時インターネット電話ソフト７から呼出音が出ていれば、ＵＳＢ電話機９の発音体１７またはハンドセット１５のスピーカ２からベルを鳴らすことができるので、インターネット電話ソフトに依存することなく大きな音で呼出を可能とする。
【００４３】
（実施の形態２）
図２は、本発明の実施の形態２によるインターネット電話装置を有するインターネット電話システムを示すブロック図である。図２のインターネット電話装置は、図１に記載のＵＳＢ電話機９に代えて、アナログ電話機２３を接続して使用できるようにしたＵＳＢ電話アダプタ２２を用いたものである。
【００４４】
図２において、マイク１、スピーカ２、パソコン３、６、インターネット手段としてのインターネット電話ソフト４、７、インターネット網５、ＵＳＢ８、ＵＳＢインターフェース部１０、呼び出し音波形データ書込み部１１、呼び出し音波形データ記憶部１２、比較部１３は図１と同様のものなので、同一符号を付し、説明は省略する。１８はアナログ電話機２３と回線接続を行う加入者回線部、１９はアナログ電話機２３のオンフック／オフフック検知を行うフックアップ検知部、２０は一致信号によってアナログ電話機２３への接続先を加入者回線部１８と後述のベル信号生成部２１から選択する回線切替え部、２１はアナログ電話機２３にベル信号を送出するベル信号生成部、２２はＵＳＢ電話アダプタである。ＵＳＢ電話アダプタ２２は、ＵＳＢインタフェース部１０、呼び出し音波形データ書込み部１１、呼び出し音波形データ記憶部１２、比較部１３、加入者回線部１８、フックアップ検知部１９、回線切替え部２０、ベル信号生成部２１から構成される着呼側ＵＳＢ電話アダプタである。
【００４５】
このように構成されたインターネット電話システムについて、その動作を説明する。
【００４６】
インターネット電話手段としてのインターネット電話ソフト４からインターネット電話ソフト７を呼び出すと、ＵＳＢ電話アダプタ２２は、ＵＳＢインタフェース部１０からインターネット電話ソフト７からの呼び出し音データを受け、比較部１３は、その呼び出し音データと呼び出し音波形データ記憶部１２に記憶されたデータとを比較し、比較結果が一致しかつフックアップ検知部１９の出力がオンフックの時は、回線切替え部２０を制御してアナログ電話機２３をベル信号生成部２１に接続する。アナログ電話機２３に接続されたベル信号生成部２１はアナログ電話機２３にベル信号を送出し、アナログ電話機２３はベル信号を検知し、呼び出し音を鳴らし、ユーザに着呼を通知する。なお、比較部１３は、比較結果が一致しないあるいはフックアップ検知部１９の出力がオフフックの時は、回線切替え部２０を制御してアナログ電話機２３を加入者回線部１８に接続するので、アナログ電話機２３はベル検知することなく、呼び出し音を鳴らさない。アナログ電話機２３のベルの音を聞いたユーザがアナログ電話機２３をオフフックするとフックアップ検知部１９は比較部１３にオフフックを通知するので、比較部１３は、回線切替え部２０を制御してアナログ電話機２３を加入者回線部１８に接続するので、アナログ電話機２３の呼び出し音は停止する。ユーザがインターネット電話ソフト７に対して接続操作を行うと、実施の形態１の場合と同様に、インターネット電話ソフト４とインターネット電話ソフト７は音声通信が可能となる。
【００４７】
このようにして、着信時にインターネット電話ソフト７から呼出音が出ていれば、ＵＳＢ電話アダプタ２２からベル信号を送出し、接続しているアナログ電話機２３のベルを鳴らすことができるので、インターネット電話ソフトの種類に依存することなく呼出を可能とする。
【００４８】
（実施の形態３）
図３は、本発明の実施の形態３によるインターネット電話装置を有するインターネット電話システムを示すブロック図である。図３のインターネット電話装置は、着呼の検出をＵＳＢインタフェース部１０のオルタネート番号による有音無音の識別によって行うＵＳＢ電話アダプタ２２を用いたものである。
【００４９】
図３において、マイク１、スピーカ２、パソコン３、６、インターネット手段としてのインターネット電話ソフト４、７、インターネット網５、ＵＳＢ８、ＵＳＢインタフェース部１０、加入者回線部１８、フックアップ検知部１９、回線切替え部２０、ベル信号生成部２１、ＵＳＢ電話アダプタ２２、アナログ電話機２３は図２と同様のものなので、同一符号を付し、説明は省略する。２４はＵＳＢインタフェース部１０のオルタネート番号が１（有音）でかつフックアップ検知部１９がオンフックを検知した時に回線切替え部２０を制御してアナログ電話機２３とベル信号生成部２１とを接続し、上記以外の時は回線切替え部２０を制御してアナログ電話機２３と加入者回線部１８とを接続するオルタネート番号検出部である。ここで、ＵＳＢインタフェース部１０は、ＵＳＢ仕様に準拠したＧｅｔ　Ｄｅｓｃｒｉｐｔｏｒコマンド、Ｓｅｔ　Ｉｎｔｅｒｆａｃｅコマンドによってオルタネート番号を認識する事ができるＵＳＢインタフェース部であり、またＵＳＢ電話アダプタ２２は、ＵＳＢインタフェース部１０、加入者回線部１８、フックアップ検知部１９、回線切替え部２０、ベル信号生成部２１オルタネート番号検出部２４から構成されるＵＳＢ電話アダプタである。
【００５０】
このように構成されたインターネット電話システムについて、その動作を図４を用いて説明する。図４は、パソコン６とＵＳＢ電話アダプタ２２との間でのデータのやり取りを示すシーケンス図である。
【００５１】
電源投入等によりＵＳＢ電話アダプタ２２をパソコン６へ接続すると、図４のように、ＵＳＢインタフェース部１０はＵＳＢ仕様に準拠したＧｅｔＤｅｓｃｒｉｐｔｏｒコマンドでパソコン６へ例えばオルタネート番号０は無音、オルタネート番号１は有音であると通知すると同時に、ＵＳＢインタフェース部１０のオルタネート番号を通話開始まで０（無音）に設定する。インターネット電話ソフト４からインターネット電話ソフト７を呼び出すと、インターネット電話ソフト７は、呼出音を送出するために、ＵＳＢ仕様に準拠したＳｅｔＩｎｔｅｒｆａｃｅコマンドでオルタネート番号を１（有音）に設定する命令をＵＳＢ８に送る。ＵＳＢインタフェース部１０は、ＳｅｔＩｎｔｅｒｆａｃｅコマンドによってオルタネート番号を１（有音）に設定する。オルタネート番号検出部２４は、オルタネート番号１（有音）を検知しかつフックアップ検知部１９の出力がオンフックの時は、回線切替え部２０を制御してアナログ電話機２３をベル信号生成部２１に接続する。アナログ電話機２３に接続されたベル信号生成部２１は、アナログ電話機２３にベル信号を送出し、アナログ電話機２３はベル信号を検知し、呼び出し音を鳴らし、ユーザに着呼を通知する。なお、オルタネート検出部２４は、ＵＳＢインタフェース部１０のオルタネート番号が０あるいはフックアップ検知部１９の出力がオフフックの時は、回線切替え部２０を制御してアナログ電話機２３を加入者回線部１８に接続するので、アナログ電話機２３はベル信号を受けることなく、呼び出し音は鳴らない。アナログ電話機２３の着信音をうけたユーザがアナログ電話機２３をオフフックするとフックアップ検知部１９はオルタネート検出部２４にオフフックを通知するので、比較部１３は、回線切替え部２０を制御してアナログ電話機２３を加入者回線部１８に接続し、アナログ電話機２３の呼び出し音は停止する。ユーザがインターネット電話ソフト７に対して接続操作を行うと、実施の形態１の場合と同様にインターネット電話ソフト４とインターネット電話ソフト７は音声通信が可能となる。
【００５２】
このようにして、ＵＳＢ８上の有音無音の設定をオルタネート番号で読み取り、かつアナログ電話機２３がオンフックのときベル信号を送出し、接続しているアナログ電話機２３のベルを鳴らすことができるので、インターネット電話ソフトの種類に依存することなく呼出を可能とする。
【００５３】
（実施の形態４）
本発明の実施の形態４によるインターネット電話装置を有するインターネット電話システムの構成は、実施の形態３と同様、図３の構成である。本実施の形態は、実施の形態３において図３で着呼によりパソコン６からオルタネート番号１（有音）の設定を受け、オルタネート番号検出部２４が回線制御信号により回線切替え部２０をベル信号生成部２１に接続し、アナログ電話機２３のベルが鳴っている状態のときに、発呼側ユーザがインターネット電話ソフト４に切断操作を行い、インターネット電話の呼出を切ったときについてものものである。発呼側ユーザがインターネット電話ソフト４に切断操作を行い、インターネット電話の呼出を切ったとき、着呼側インターネット電話ソフト７は無音となり、パソコン６は無音のオルタネート番号０をＵＳＢインタフェース部１０へ送出する。この無音のオルタネート番号０はオルタネート番号検出部２４へ伝えられ、ベル信号を送出中にこの無音のオルタネート番号０を受信したときは、相手がインターネット電話を切ったものと判定し、回線切替え部２０を加入者回線部１８へ切り替えて、それ以上の呼出を中止する。
【００５４】
このように、本実施の形態では、発呼側ユーザがインターネット電話ソフト４に切断操作を行うことにより、無音のオルタネート番号０をオルタネート番号検出部２４へ伝えることができるので、回線切替え部２０を加入者回線部１８へ切り替えて、呼出を中止することができる。
【００５５】
（実施の形態５）
図５は、本発明の実施の形態５によるインターネット電話装置を有するインターネット電話システムを示すブロック図である。図５のインターネット電話装置は、呼出音の検出をパソコン６によって行うＵＳＢ電話アダプタ２２を用いたものである。
【００５６】
図５において、マイク１、スピーカ２、パソコン３、６、インターネット手段としてのインターネット電話ソフト４、７、インターネット網５、ＵＳＢ８、ＵＳＢインタフェース部１０、呼び出し音波形データ書込み部１１、呼び出し音波形データ記憶部１２、比較部１３、加入者回線部１８、フックアップ検知部１９、回線切替え部２０、ベル信号生成部２１、ＵＳＢ電話アダプタ２２、アナログ電話機２３は図２と同様のものなので、同一符号を付し、説明は省略する。２５は回線制御信号によってベル信号生成部２１とアナログ電話機２３を接続する命令を受け、かつフックアップ検知部１９がオンフックを検知した時に回線切替え部２０を制御してアナログ電話機２３とベル信号生成部２１とを接続し、上記以外の時は回線切替え部２０を制御してアナログ電話機２３と加入者回線部１８とを接続する回線制御部、２６はインターネット電話ソフト７と後述のＵＳＢドライバ２７との間で音声データのやりとりを行うオーディオドライバ、２７はＵＳＢ８を介して音声データの送受信と回線制御信号の送信を行うＵＳＢドライバである。ここで、ＵＳＢインタフェース部１０は、ＵＳＢ８を介して音声データの送受信と回線制御信号の受信を行うものであり、ＵＳＢ電話アダプタ２２は、ＵＳＢインタフェース部１０、加入者回線部１８、フックアップ検知部１９、回線切替え部２０、ベル信号生成部２１、回線制御部２５から構成される。
【００５７】
このように構成されたインターネット電話システムについて、その動作を説明する。
【００５８】
インターネット電話ソフト４からインターネット電話ソフト７を呼び出すと、インターネット電話ソフト７は呼び出し音データをオーディオドライバ２６、ＵＳＢドライバ２７を介してＵＳＢ８へ送信する。比較部１３は、上記呼び出し音データと呼び出し音波形データ記憶部１２に記憶されたデータとを比較し、比較結果が一致した時は加入者回線部１８とアナログ電話機２３との接続命令をＵＳＢドライバ２７を介してＵＳＢ８へ送信する。ＵＳＢインタフェース部１０は、受信した加入者回線部１８とアナログ電話機２３との接続命令を回線制御部２５へ出力する。回線制御部２５は、加入者回線部１８とアナログ電話機２３との接続命令を受けかつフックアップ検知部１９の出力がオンフックの時は、回線切替え部２０を制御してアナログ電話機２３をベル信号生成部２１に接続する。アナログ電話機２３に接続されたベル信号生成部２１は、アナログ電話機２３にベル信号を送出し、アナログ電話機２３はベル信号を検知し、呼び出し音を鳴らし、ユーザに着呼を通知する。なお、回線制御部２５は、加入者回線部１８とアナログ電話機２３との接続命令を受けていない時あるいはフックアップ検知部１９の出力がオフフックの時は、回線切替え部２０を制御してアナログ電話機２３を加入者回線部１８に接続するので、アナログ電話機２３はベル信号が来ないので、呼び出し音を鳴らさない。アナログ電話機２３のベル鳴動をうけたユーザがアナログ電話機２３をオフフックすると、フックアップ検知部１９は、回線制御部２５にオフフックを通知するので、回線制御部２５は回線切替え部２０を制御してアナログ電話機２３を加入者回線部１８に接続するので、アナログ電話機２３の呼び出し音は停止する。
【００５９】
このようにして、呼出音波形データ記憶部１２と比較部１３とをパソコン６の中に設けることにより、ＵＳＢ電話アダプタ２２は、より容量の小さいＣＰＵやＤＳＰで構成することが可能となる。
【００６０】
（実施の形態６）
図６は、本発明の実施の形態６によるインターネット電話装置を有するインターネット電話システムを示すブロック図である。図６のインターネット電話装置は、アナログ電話機２３のオフフック情報及び押下キー情報をパソコン６に送るＵＳＢ電話アダプタ２２を用いたものである。
【００６１】
図６において、マイク１、スピーカ２、パソコン３、６、インターネット手段としてのインターネット電話ソフト４、７、インターネット網５、ＵＳＢ８、ＵＳＢインタフェース部１０、呼び出し音波形データ書込み部１１、呼び出し音波形データ記憶部１２、比較部１３、加入者回線部１８、フックアップ検知部１９、回線切替え部２０、ベル信号生成部２１、ＵＳＢ電話アダプタ２２、アナログ電話機２３は図２と同様のものなので、同一符号を付し、説明は省略する。２８は音声データ中のＤＴＭＦ信号を検出しアナログ電話機２３の押下キー情報を出力するＤＴＭＦ検出部、２９はＤＴＭＦ検出部２８からの押下キー情報およびフックアップ検知部１９からのオンフック通知をキー信号に変換し、パソコン６からはＵＳＢキーボードとして認識されているキー信号変換部である。ここで、ＵＳＢインタフェース部１０は、ＵＳＢ８と音声データの送受信を行うと同時にキー信号をＵＳＢ８に送信するものであり、また、ＵＳＢ電話アダプタ２２は、ＵＳＢインタフェース部１０、呼び出し音波形データ書込み部１１、呼び出し音波形データ記憶部１２、比較部１３、加入者回線部１８、フックアップ検知部１９、回線切替え部２０、ベル信号生成部２１、ＤＴＭＦ検出部２８、キー信号変換部２９から構成される。
【００６２】
このように構成されたインターネット電話システムについて、その動作を説明する。
【００６３】
インターネット電話ソフト４からインターネット電話ソフト７を呼び出すと、実施の形態２と同様にして、アナログ電話機２３は、ベル信号を検知し、呼び出し音を鳴らし、ユーザに着呼を通知する。アナログ電話機２３の着呼通知をうけたユーザがアナログ電話機２３をオフフックすると、フックアップ検知部１９は比較部１３にオフフックを通知するので、キー信号変換部２９はオフフック通知をオフフック状態を示すキー信号に変換し、ＵＳＢインタフェース部１０、ＵＳＢ８を介してパソコン６へ送信する。オフフック状態を示すキー信号を受けたインターネット電話ソフト７は、着呼許可操作と判定し、インターネット網５を介してパソコン４へ着信許可データを送ると同時に通話状態となる。インターネット電話ソフト７から発呼してインターネット電話ソフト４と通話を行いたい場合にユーザがアナログ電話機２３をオフフックすると、フックアップ検知部１９はキー信号変換部２９にオフフック状態を通知する。また、アナログ電話機２３から押下キーに対応するＤＴＭＦ信号が加入者回線部１８を介してＤＴＭＦ検出部２８に送られ、ＤＴＭＦ検出部２８は、ＤＴＭＦ信号を検出し、アナログ電話機２３の押下キー情報をキー信号変換部２９に通知する。キー信号変換部２９は、オフフック状態通知および押下キー情報をキー信号に変換してＵＳＢインタフェース部１０へ出力する。ＵＳＢインタフェース部１０は、キー信号をＵＳＢ８を介してパソコン６へ送信する。インターネット電話ソフト７は、キー信号によってオフフック状態通知および押下キー情報を受け取ると、キー信号変換部２９をＵＳＢキーボードつまり普通のキーボードを押されたのと同じとみなしているため、押下キー情報に従ってダイヤルすると同時にディスプレイ上にダイヤルした番号を表示する。
【００６４】
このようにして、ＵＳＢ電話アダプタ２２に接続したアナログ電話機２３のフック動作およびキー押下によるＤＴＭＦ信号は通常のキーボード入力と同等にインターネット電話ソフト７において取り扱われることとなるので、インターネット電話ソフトの種類に依存しないで発着呼動作を行うことができる。
【００６５】
（実施の形態７）
図７は、本発明の実施の形態７によるインターネット電話装置を有するインターネット電話システムを示すブロック図である。図７のインターネット電話装置は、電話回線４８と接続できるＵＳＢ電話アダプタ３６を用い、ＵＳＢ電話アダプタ３６に電話回線４８から着信があったとき、パソコン３にＵＳＢ３７経由であらかじめ定められた手順でキー情報をＵＳＢキーボードの情報として送り、一般電話にかけられるインターネット電話を利用してあらかじめ定められた電話に着信させ、自動的に転送、通話を開始することを特徴とするＵＳＢ電話アダプタ３６を用いたものである。
【００６６】
図７において、パソコン３、６、インターネット手段としてのインターネット電話ソフト４、７、インターネット網５、アナログ電話機２３は図２と同様のものなので、同一符号を付し、説明は省略する。３０は電話回線４８への接続、切断を行う電話回線接続部、３１は電話回線信号と音声信号を相互に変換する２線−４線変換部、３２は音声信号とデジタル音声データを相互に変換するＡ／Ｄ・Ｄ／Ａ変換部、３４は電話回線４８のベル信号を検出するベル信号検出部、３３はＵＳＢ３７と音声データのシリアル通信を行うＵＳＢインタフェース部、３５はパソコン３からは通常のＵＳＢキーボードとして認識され、ベル信号検出部３４からの検出信号を受けて、任意に設定された着信転送先へのダイヤル番号および発呼のキー信号をパソコン３に送るキー信号生成部、３３はＵＳＢ３７と音声データおよびキー信号のシリアル通信を行うＵＳＢインタフェース部、３６は電話回線接続部３０、２線−４線変換部３１、Ａ／Ｄ・Ｄ／Ａ変換部３２、ＵＳＢインタフェース部３３、ベル信号検出部３４、キー信号生成部３５から構成されるＵＳＢ電話アダプタ、３８はインターネット電話から通常の電話網３９へ相互乗り入れができるインターネット電話ゲートウエイである。
【００６７】
このように構成されたインターネット電話システムについて、その動作を説明する。
【００６８】
待ち受け時、電話回線接続部３０は、電話回線４８と２線−４線変換部３１を切断している。インターネット電話ソフト４とインターネット電話ソフト７が非通話状態で電話回線４８から着呼を受けた場合、電話回線４８からＵＳＢ電話アダプタ３６へベル信号が送られる。ベル信号検出部３４は、ベル信号を検出すると、キー信号生成部３５へキー信号の生成命令を出し、キー信号生成部３５は、あらかじめ設定した手順でパソコン６のダイヤル番号および発呼のキー信号をパソコン３に送信する。パソコン３内のインターネット電話ソフト４は、パソコン６のダイヤル番号および発呼のキー信号を受けて、インターネット網５を介してパソコン６に発呼する。パソコン３からの呼出を受けたパソコン６内のインターネット電話ソフト７は呼出音を発生させ、ユーザが着呼を許可すると通話が開始される。また相手にはアナログ電話機２３を選択することも可能である。このときはキー信号生成部３５に、インターネット電話ゲートウエイ３８をとおり、電話網３９を通ってアナログ電話機２３に着信するように電話番号を設定しておけばよい。
【００６９】
このようにして、パソコン３からはＵＳＢキーボードと認識されるキー信号生成部３５にあらかじめインターネット電話ソフト４の発呼シーケンスと転送先の電話番号を設定しておくことにより、転送動作が可能となる。
【００７０】
（実施の形態８）
図８は、本発明の実施の形態８によるインターネット電話装置を有するインターネット電話システムを示すブロック図である。図８のインターネット電話装置は、実施の形態７に記載のＵＳＢ電話アダプタ３６に電話回線４８から着信があったとき、発呼する相手がインターネット電話であった場合または常にインターネット電話が着呼側と常時接続で通話状態にしてあるとき、着呼側の電話回線４８に着信があることを知らせるために、着呼側の呼出音波形データ記憶部に記憶した波形を着呼側に送出し、着呼側ＵＳＢ電話アダプタ２２は、実施の形態２に記載の呼出音検出方法を用い、記憶している呼出音と一致した場合、接続しているアナログ電話機２３にベル信号を送出することを特徴とするＵＳＢ電話アダプタ２２を用いたものである。
【００７１】
図８において、パソコン３、６、インターネット手段としてのインターネット電話ソフト４、７、インターネット網５、ＵＳＢ８、ＵＳＢインタフェース部１０、呼び出し音波形データ書込み部１１、呼び出し音波形データ記憶部１２、比較部１３、加入者回線部１８、フックアップ検知部１９、回線切替え部２０、ベル信号生成部２１、ＵＳＢ電話アダプタ２２、アナログ電話機２３は図２と同様のものであり、電話回線接続部３０、２線−４線変換部３１、Ａ／Ｄ・Ｄ／Ａ変換部３２、ＵＳＢインタフェース部３３、ベル信号検出部３４、ＵＳＢ電話アダプタ３６、電話回線４８は図７と同様のものなので、同一符号を付し、説明は省略する。４０は呼び出し音を出力する呼び出し音生成部である。ここで、ＵＳＢインタフェース部３３はＵＳＢ３７と音声データのシリアル通信を行うものであり、また、ＵＳＢ電話アダプタ３６は、電話回線接続部３０、２線−４線変換部３１、Ａ／Ｄ・Ｄ／Ａ変換部３２、ＵＳＢインタフェース部３３、ベル信号検出部３４、呼び出し音生成部４０から構成される発呼側ＵＳＢ電話アダプタである。
【００７２】
このように構成されたインターネット電話システムについて、その動作を説明する。
【００７３】
待ち受け時、電話回線接続部３０は切断状態で、電話回線４８と２線−４線変換部３１を切断している。電話回線４８に着信すると、電話回線４８からＵＳＢ電話アダプタ３６へベル信号が送られる。ベル信号検出部３４は、ベル信号を検出すると、呼び出し音生成部４０へ呼び出し音の生成命令を出し、呼び出し音生成部４０は呼び出し音を出力する。発呼側インターネット電話ソフト４と着呼側インターネット電話ソフト７が常時接続通話状態である場合とすると、呼び出し音は音声データとしてＵＳＢインタフェース部３３、ＵＳＢ３７、パソコン３、インターネット網５、パソコン６、ＵＳＢ８を介してＵＳＢ電話アダプタ２２へ送られる。ＵＳＢ電話アダプタ２２は、実施の形態２の場合と同様の構成となっており、比較部１３は、上記呼び出し音データと呼び出し音波形データ記憶部１２に記憶されたデータとを比較し、比較結果が一致しかつフックアップ検知部１９の出力がオンフックの時は、回線切替え部２０を制御してアナログ電話機２３をベル信号生成部２１に接続する。アナログ電話機２３に接続されたベル信号生成部２１はアナログ電話機２３にベル信号を送出し、アナログ電話機２３はベル信号を検知し、呼び出し音を鳴らし、ユーザに着呼を通知する。なお、比較部１３は、比較結果が一致しないあるいはフックアップ検知部１９の出力がオフフックの時は、回線切替え部２０を制御してアナログ電話機２３を加入者回線部１８に接続するので、アナログ電話機２３はベル検知することなく、呼び出し音を鳴らさない。
【００７４】
このようにして、特定の呼出音をトリガとして、転送元（発呼側）の電話回線４８に着信したベル信号を音として転送し、転送先の電話を呼び出すことができるので、インターネット電話のアプリケーションの種類に依存せず容易に転送を行える。
【００７５】
（実施の形態９）
図９は、本発明の実施の形態９によるインターネット電話装置を有するインターネット電話システムを示すブロック図である。図９のインターネット電話装置は、実施の形態７に記載の手順で転送されたきた電話において、発呼側のＵＳＢ電話アダプタ３６のフック回路（電話回線接続部３０）をＤＴＭＦ音によって制御することによって、自在に電話回線の接続、切断をコントロールすることを特徴とするＵＳＢ電話アダプタを用いたものである。
【００７６】
図９において、パソコン３、６、インターネット手段としてのインターネット電話ソフト４、７、インターネット網５、ＵＳＢ８、ＵＳＢインタフェース部１０、呼び出し音波形データ書込み部１１、呼び出し音波形データ記憶部１２、比較部１３、加入者回線部１８、フックアップ検知部１９、回線切替え部２０、ベル信号生成部２１、ＵＳＢ電話アダプタ２２、アナログ電話機２３、電話回線接続部３０、２線−４線変換部３１、Ａ／Ｄ・Ｄ／Ａ変換部３２、ＵＳＢインタフェース部３３、ベル信号検出部３４、ＵＳＢ電話アダプタ３６、呼び出し音生成部４０、電話回線４８は図８と同様のものなので、同一符号を付し、説明は省略する。４１はＤＴＭＦ信号を検出し、検出したＤＴＭＦ信号がオンフックに割り当てられたキーであれば電話回線接続部３０をオンフック（切断）状態に制御し、検出したＤＴＭＦ信号がオフフックに割り当てられたキーであれば電話回線接続部３０をオフフック（接続）状態に制御するＤＴＭＦ検出部である。上記ＵＳＢ電話アダプタ３６は、電話回線接続部３０、２線−４線変換部３１、Ａ／Ｄ・Ｄ／Ａ変換部３２、ＵＳＢインタフェース部３３、ベル信号検出部３４、呼び出し音生成部４０、ＤＴＭＦ検出部４１から構成される。
【００７７】
このように構成されたインターネット電話システムについて、その動作を説明する。ここで、ＤＴＭＦ検出部４１のオフフック（接続）用ＤＴＭＦ信号を“＊”、オンフック（切断）用ＤＴＭＦ信号を“＃”と仮定する。
【００７８】
インターネット電話ソフト４とインターネット電話ソフト７が常時通話状態で電話回線４８をオフフック（接続）する場合、アナログ電話機２３で“＊”キーを押下すると、“＊”のＤＴＭＦ信号がアナログ電話機２３から回線切替え部２０、加入者回線部１８、ＵＳＢインタフェース部１０、ＵＳＢ８、パソコン６、インターネット網５、パソコン３、ＵＳＢ３７、ＵＳＢインタフェース部３３、Ａ／Ｄ・Ｄ／Ａ変換部３２を介してＤＴＭＦ検出部４１へ送られる。ＤＴＭＦ検出部４１は、“＊”のＤＴＭＦ信号を検出し、電話回線接続部３０を制御して電話回線４８と２線−４線変換部３１とを接続してオフフック状態になる。インターネット電話ソフト４とインターネット電話ソフト７が常時通話状態で電話回線４８をオンフックする場合、アナログ電話機２３で“＃”キーを押下すると、“＃”のＤＴＭＦ信号がアナログ電話機２３から上記の“＊”の場合と同様にＤＴＭＦ検出部４１へ送られる。ＤＴＭＦ検出部４１は、“＃”のＤＴＭＦ信号を検出し、電話回線接続部３０を制御して電話回線４８と２線−４線変換部３１を切断してオンフック（切断）状態になる。
【００７９】
このようにして、転送元電話回線４８のオンフック、オフフックを転送先のアナログ電話機２３のＤＴＭＦ信号で制御することによって、転送されてきた電話を切りたいときなどに制御を容易に行うことができる。
【００８０】
（実施の形態１０）
図１０は、本発明の実施の形態１０によるインターネット電話装置を有するインターネット電話システムを示すブロック図である。図１０のインターネット電話装置は、実施の形態７の手順で転送されてきたか、または常時接続しているインターネット電話において、着呼側に接続されたアナログ電話機２３のフック状態の変化に応じて特定の音データを発呼側のＵＳＢ電話アダプタ３６に送出し、発呼側ＵＳＢ電話アダプタ３６内でこの特定の音データを検出し、それに応じて接続している電話回線４８への接続切断をコントロールし、どのようなインターネット電話ソフトでも着呼側のアナログ電話機２３のフック操作に応じて発呼側の電話回線４８への接続切断をコントロールすることができることを特徴とするＵＳＢ電話アダプタを用いたものである。
【００８１】
図１０において、パソコン３、６、インターネット手段としてのインターネット電話ソフト４、７、インターネット網５、ＵＳＢ８、ＵＳＢインタフェース部１０、呼び出し音波形データ書込み部１１、呼び出し音波形データ記憶部１２、比較部１３、加入者回線部１８、フックアップ検知部１９、回線切替え部２０、ベル信号生成部２１、ＵＳＢ電話アダプタ２２、アナログ電話機２３、電話回線接続部３０、２線−４線変換部３１、Ａ／Ｄ・Ｄ／Ａ変換部３２、ＵＳＢインタフェース部３３、ベル信号検出部３４、ＵＳＢ電話アダプタ３６、呼び出し音生成部４０、電話回線４８は図８と同様のものなので、同一符号を付し、説明は省略する。４２は後述のオフフック音データ記憶部４３あるいは後述のオンフック音データ記憶部４４に音声データを書き込む音声データ書込み部、４３はオフフック音データを記憶するオフフック音データ記憶部、４４はオンフック音データを記憶するオンフック音データ記憶部、４５はＵＳＢインタフェース部３３からの音データとオフフック音データ記憶部４３に記憶されたデータおよびオンフック音データ記憶部４４に記憶されたデータとを比較し、オフフック音データ記憶部４３のデータと一致すれば電話回線接続部３０をオフフック（接続）状態に制御し、オンフック音データ記憶部４４のデータと一致すれば電話回線接続部３０をオンフック（切断）状態に制御する比較部、４６はフックアップ検知部１９がオフフックを検知すれば特定のオフフック音データを出力するオフフック音データ発生部、４７はフックアップ検知部１９がオンフックを検知すれば特定のオンフック音データを出力するオンフック音データ発生部である。また、ＵＳＢ電話アダプタ２２は、ＵＳＢインタフェース部１０、呼び出し音波形データ書込み部１１、呼び出し音波形データ記憶部１２、比較部１３、加入者回線部１８、フックアップ検知部１９、回線切替え部２０、ベル信号生成部２１、オフフック音データ発生部４６、オンフック音データ発生部４７から構成される着呼側ＵＳＢ電話アダプタであり、ＵＳＢ電話アダプタ３６は、電話回線接続部３０、２線−４線変換部３１、Ａ／Ｄ・Ｄ／Ａ変換部３２、ＵＳＢインタフェース部３３、ベル信号検出部３４、呼び出し音生成部４０、ＤＴＭＦ検出部４１、音声データ書込み部４２、オフフック音データ記憶部４３、オンフック音データ記憶部４４、比較部４５から構成される。
【００８２】
このように構成されたインターネット電話システムについて、その動作を説明する。
【００８３】
インターネット電話ソフト４とインターネット電話ソフト７が常時通話状態でアナログ電話機２３の受話器を上げ、電話回線４８をオフフック（接続）して通話する場合、アナログ電話機２３のハンドセットを上げると、フックアップ検知部１９がオフフックを検知して、オフフック音データ発生部４６、オンフック音データ発生部４７、比較部１３に通知する。オフフック音データ発生部４６は、オフフック検知の通知を受け、オフフック音データを出力する。オフフック音データは、ＵＳＢインタフェース部１０、ＵＳＢ８、パソコン６、インターネット網５、パソコン３、ＵＳＢ３７、ＵＳＢインタフェース部３３を介して比較部４５へ送られる。比較部４５は、ＵＳＢインタフェース部３３から受け取った上記オフフック音データとオフフック音データ記憶部４３に記憶されているデータおよびオンフック音データ記憶部４４に記憶されているデータとを比較し、オフフック音データ記憶部４３に記憶されているデータと一致すれば、電話回線接続部３０を制御して電話回線４８と２線−４線変換部３１とを接続し、オフフック状態にする。アナログ電話機２３の受話器を下げ、電話回線４８をオンフック（切断）して通話終了する場合、アナログ電話機２３のハンドセットを下ろすと、フックアップ検知部１９がオンフックを検知してオフフック音データ発生部４６、オンフック音データ発生部４７、比較部１３に通知する。オンフック音データ発生部４７は、オンフック検知の通知を受けオンフック音データを出力する。オンフック音データは、ＵＳＢインタフェース部１０、ＵＳＢ８、パソコン６、インターネット網５、パソコン３、ＵＳＢ３７、ＵＳＢインタフェース部３３を介して比較部４５へ送られる。比較部４５は、ＵＳＢインタフェース部３３から受け取った上記オンフック音データとオフフック音データ記憶部４３に記憶されているデータおよびオンフック音データ記憶部４４に記憶されているデータとを比較し、オンフック音データ記憶部４４に記憶されているデータと一致すれば、電話回線接続部３０を制御して電話回線４８と２線−４線変換部３１とを切断し、オンフック状態にする。
【００８４】
このようにして、転送先の電話機のフック状態に転送元の電話回線の電話回線接続部３０が連動することにより、容易に転送元の電話回線の切断接続ができるようになる。
【００８５】
【発明の効果】
以上説明したように本発明の請求項１に記載のインターネット電話装置によれば、インターネット網を通じて通話ができるインターネット電話手段を有するパソコンと、インターネット電話手段の音声デバイスとしてＵＳＢ経由で音声をやり取りするＵＳＢ電話機とを有するインターネット電話装置であって、ＵＳＢ電話機は、ＵＳＢ経由でパソコンと音声データおよびデータをやり取りするＵＳＢインタフェース部と、事前に設定した呼び出し音の音声データを記憶した呼び出し音波形データ記憶部と、ＵＳＢインタフェース部からの音声データと呼び出し音波形データ記憶部に記憶されたデータとの比較を行う比較部と、比較部の比較結果に応じたベル駆動信号を出力するベル駆動部と、ベル駆動信号によって呼び出し音を出力する発音体とを有することにより、パソコンからＵＳＢを介して送られてくる音声データと事前に記憶しておいた呼び出し音の音声データとを比較して呼び出し音の有無を検知し、呼び出し音が検知された場合はＵＳＢ電話機の発音体あるいはスピーカから呼び出し音を出力することができるので、インターネット電話ソフトに依存することなくユーザに着信を通知することができる有利な効果が得られる。
【００８６】
請求項２に記載のインターネット電話装置によれば、インターネット網を通じて通話ができるインターネット電話手段を有するパソコンと、インターネット電話手段からＵＳＢ経由で受信した音声データを処理してアナログ電話機へ出力すると共にアナログ電話機からの音声信号を音声データとして出力するＵＳＢ電話アダプタとを有するインターネット電話装置であって、ＵＳＢ電話アダプタは、ＵＳＢ経由でパソコンと音声データおよびデータをやり取りするＵＳＢインタフェース部と、事前に設定した呼び出し音の音声データを記憶した呼び出し音波形データ記憶部と、ＵＳＢインタフェース部からの音声データと呼び出し音波形データ記憶部に記憶されたデータとの比較を行う比較部と、ＵＳＢ経由で受信した音声データを音声信号に変換してアナログ電話機に出力すると共にアナログ電話機からの音声信号を音声データに変換して出力する加入者回線部と、アナログ電話機にベル信号を送るベル信号生成部と、比較部における比較結果に応じてアナログ電話機の接続先を加入者回線部またはベル信号生成部へ切り替える回線切替え部とを有することにより、アナログ電話機に接続できるＵＳＢ電話アダプタを使用し、パソコンからＵＳＢを介して送られてくる音声データと事前に記憶しておいた呼び出し音の音声データとを比較して呼び出し音の有無を検知し、呼び出し音が検知されかつアナログ電話機の受話器が置かれている場合はＵＳＢ電話アダプタに接続しているアナログ電話機にベル信号を送り、アナログ電話機の発音体あるいはスピーカから呼び出し音を出力することができるので、インターネット電話ソフトに依存することなくユーザに着信を通知することができるという有利な効果が得られる。
【００８７】
請求項３に記載のインターネット電話装置によれば、インターネット網を通じて通話ができるインターネット電話手段を有するパソコンと、インターネット電話手段からＵＳＢ経由で受信した音声データを処理してアナログ電話機へ出力すると共にアナログ電話機からの音声信号を音声データとして出力するＵＳＢ電話アダプタとを有するインターネット電話装置であって、ＵＳＢ電話アダプタは、パソコンへＵＳＢ仕様に準拠した有音無音に対応したオルタネート番号を設定することができると共にパソコンからの有音無音のオルタネート番号を受信できるＵＳＢインタフェース部と、ＵＳＢ経由で受信した音声データを音声信号に変換してアナログ電話機に出力すると共にアナログ電話機からの音声信号を音声データに変換して出力する加入者回線部と、アナログ電話機にベル信号を送るベル信号生成部と、ＵＳＢインタフェース部のオルタネート番号を検出して回線制御信号を出力するオルタネート番号検出部と、回線制御信号に応じてアナログ電話機の接続先を加入者回線部またはベル信号生成部へ切り替える回線切替え部とを有することにより、インターネット電話が着信してパソコンがＵＳＢ電話を呼び出すため有音の設定とした場合、ＵＳＢインタフェース部でオルタネート番号の有音、無音の状態をうけとり、着呼状態により有音と定義されたオルタネート番号が検知された場合でかつ受話器がオンフックの場合はアナログ電話機にベル信号を送り、アナログ電話機から呼び出し音を出力することができるので、インターネット電話ソフトに依存することなくユーザに着信を通知することができるという有利な効果が得られる。
【００８８】
請求項４に記載のインターネット電話装置によれば、請求項３に記載のインターネット電話装置において、オルタネート番号検出部は、有音のオルタネート番号を検出してアナログ電話機のベルを鳴らしているときに、相手がインターネット電話を切り、着呼側インターネット電話手段がそれを検知してＵＳＢ電話アダプタに無音のオルタネート番号を送出したとき、相手が電話を切ったものとしてベル信号の送出を止めることにより、インターネット電話経由の着呼があり、ベル信号を送っている間に、相手が電話を切り、インターネット電話ソフトの呼出が止まり、オルタネート番号が無音の設定になった場合、無音のオルタネート番号をオルタネート番号検出部へ伝えることができるので、回線切替え部を加入者回線部へ切り替えてベル信号の送出を止めることができるという有利な効果が得られる。
【００８９】
請求項５に記載のインターネット電話装置によれば、インターネット網を通じて通話ができるインターネット電話手段を有するパソコンと、インターネット電話手段からＵＳＢ経由で受信した音声データを処理してアナログ電話機へ出力すると共にアナログ電話機からの音声信号を音声データとして出力するＵＳＢ電話アダプタとを有するインターネット電話装置であって、パソコンは、事前に設定した呼び出し音の音声データを記憶した呼び出し音波形データ記憶部と、インターネット網から受信した音声データと呼び出し音波形データ記憶部に記憶されたデータとの比較を行うと共に比較結果に応じた回線制御信号を出力する比較部とを有し、ＵＳＢ電話アダプタは、ＵＳＢ経由で受信した音声データを音声信号に変換してアナログ電話機に出力すると共にアナログ電話機からの音声信号を音声データに変換して出力する加入者回線部と、アナログ電話機にベル信号を送るベル信号生成部と、回線制御信号に応じてアナログ電話機の接続先を加入者回線部またはベル信号生成部へ切り替える回線切替え部とを有することにより、パソコン内部で呼び出し音が検知された場合はＵＳＢ経由で回線切替え部を制御し、アナログ電話機にベル信号を送り、アナログ電話機の発音体あるいはスピーカから呼び出し音を出力して、ユーザに着信を通知することができると共に、呼び出し音波形データ記憶部と比較部とをパソコンに設けたことにより、ＵＳＢ電話アダプタの小型化を図ることができるという有利な効果が得られる。
【００９０】
請求項６に記載のインターネット電話装置によれば、インターネット網を通じて通話ができるインターネット電話手段を有するパソコンと、インターネット電話手段からＵＳＢ経由で受信した音声データを処理してアナログ電話機へ出力すると共にアナログ電話機からの音声信号を音声データとして出力するＵＳＢ電話アダプタとを有するインターネット電話装置であって、ＵＳＢ電話アダプタは、ＵＳＢ経由で受信した音声データを音声信号に変換してアナログ電話機に出力すると共にアナログ電話機からの音声信号を音声データに変換して出力する加入者回線部と、アナログ電話機のオフフックを検出するフックアップ検知部と、アナログ電話機からのＤＴＭＦ信号を検出してＤＴＭＦ情報を通知するＤＴＭＦ検出部と、ＤＴＭＦ検出部からのＤＴＭＦ情報およびフックアップ検知部からのフック情報をＵＳＢデバイスとして標準的に認識されるＵＳＢキーボードのキー信号に変換するキー信号変換部と、キー信号を送出するＵＳＢインタフェース部とを有することにより、ＵＳＢ電話アダプタに接続したアナログ電話機のフック動作およびキー押下によるＤＴＭＦ信号を通常のキーボード入力と同等にインターネット電話ソフトにおいて取り扱うことができるので、インターネット電話ソフトの種類に依存することなく発着呼動作を行うことができるという有利な効果が得られる。
【００９１】
請求項７に記載のインターネット電話装置によれば、インターネット網を通じて通話ができるインターネット電話手段を有するパソコンと、電話回線から受信した音声信号を音声データに変換してパソコンへ出力すると共にパソコンからの音声データを音声信号に変換して電話回線へ送出するＵＳＢ電話アダプタとを有するインターネット電話装置であって、ＵＳＢ電話アダプタは、ベル信号を検知するベル信号検知部と、ベル信号を検知した場合にはあらかじめ定められた手順でＵＳＢで標準に認識されるキーボードの情報として送出するキー信号生成部と、キーボードの情報をパソコンへ送信するＵＳＢインタフェース部とを有することにより、パソコンからはＵＳＢキーボードと認識されるキー信号発生部にあらかじめインターネット電話ソフトの発呼シーケンスと転送先の電話番号とを設定することができるので、転送動作が可能になるという有利な効果が得られる。
【００９２】
請求項８に記載のインターネット電話装置によれば、インターネット網を通じて通話ができるインターネット電話手段を有するパソコンと、電話回線から受信した音声信号を音声データに変換してパソコンへ出力すると共にパソコンからの音声データを音声信号に変換して電話回線へ送出するＵＳＢ電話アダプタとを有するインターネット電話装置であって、ＵＳＢ電話アダプタは、ベル信号を検知するベル信号検知部と、ベル信号を検知した場合にはあらかじめ設定された呼出音を音声データとして送出する呼出音生成部と、呼出音としての音声データをパソコンへ送信するＵＳＢインタフェース部とを有することにより、ＵＳＢ電話アダプタに電話回線から着信があり、発呼する相手がインターネット電話であった場合または常にインターネット電話が相手側と常時接続で通話状態にしてある場合、相手側に着信であることを知らせるためにあらかじめ相手側に記憶した波形を相手側に送出し、相手側は、記憶している呼出音の波形と一致した場合、ＵＳＢ電話アダプタに接続しているアナログ電話機にベル信号を送出して相手側の電話を呼び出すことができるので、インターネット電話ソフトの種類に依存しないで、ユーザに呼び出しを通知することができるという有利な効果が得られる。
【００９３】
請求項９に記載のインターネット電話装置によれば、請求項８に記載のインターネット電話装置において、ＵＳＢ電話アダプタは、相手側パソコンからのＤＴＭＦ音を検出するＤＴＭＦ検出部と、ＤＴＭＦ検出部におけるＤＴＭＦ音に応じて電話回線への接続接断をコントロールする電話回線接続部とを有することにより、ＵＳＢ電話アダプタの電話回線接続部をＤＴＭＦ音によって制御することができ、自在に電話回線の接続、切断をコントロールすることができるという有利な効果が得られる。
【００９４】
請求項１０に記載のインターネット電話システムによれば、インターネット網を通じて通話ができるインターネット電話手段を有する発呼側パソコンと着呼側パソコンと、電話回線から受信した音声信号を音声データに変換してＵＳＢ経由で発呼側パソコンへ出力すると共に発呼側パソコンからの音声データを音声信号に変換して電話回線へ送出する発呼側ＵＳＢ電話アダプタと、着呼側パソコンからＵＳＢ経由で受信した音声データを処理してアナログ電話機へ出力すると共にアナログ電話機からの音声信号を音声データとして出力する着呼側ＵＳＢ電話アダプタとを有するインターネット電話システムであって、着呼側ＵＳＢ電話アダプタは、アナログ電話機のオフフックを検出するフックアップ検知部と、フックアップ検知部でオンフックを検知したときはオンフック音データを出力するオンフック音データ発生部と、フックアップ検知部でオフフックを検知したときはオフフック音データを出力するオフフック音データ発生部とを有し、発呼側ＵＳＢ電話アダプタは、オンフック音データを記憶するオンフック音データ記憶部と、オフフック音データを記憶するオフフック音データ記憶部と、記憶したオンフック音データまたはオフフック音データと着呼側ＵＳＢ電話アダプタからの音声データとを比較する比較部と、比較部からの一致信号に応じて電話回線への接続切断をコントロールする電話回線接続部とを有することにより、着呼側に接続されたアナログ電話機のフック状態の変化に応じて特定の音声データを発呼側ＵＳＢ電話アダプタに送出し、発呼側ＵＳＢ電話アダプタ内でこの特定の音声データを検出し、それに応じて接続している電話回線への接続切断をコントロールすることができるので、どのようなインターネット電話ソフトでも着呼側のアナログ電話機のフック操作に応じて発呼側の電話回線への接続切断をコントロールすることができるという有利な効果が得られる。
【図面の簡単な説明】
【図１】本発明の実施の形態１によるインターネット電話装置を有するインターネット電話システムを示すブロック図
【図２】本発明の実施の形態２によるインターネット電話装置を有するインターネット電話システムを示すブロック図
【図３】本発明の実施の形態３によるインターネット電話装置を有するインターネット電話システムを示すブロック図
【図４】パソコンとＵＳＢ電話アダプタとの間でのデータのやり取りを示すシーケンス図
【図５】本発明の実施の形態５によるインターネット電話装置を有するインターネット電話システムを示すブロック図
【図６】本発明の実施の形態６によるインターネット電話装置を有するインターネット電話システムを示すブロック図
【図７】本発明の実施の形態７によるインターネット電話装置を有するインターネット電話システムを示すブロック図
【図８】本発明の実施の形態８によるインターネット電話装置を有するインターネット電話システムを示すブロック図
【図９】本発明の実施の形態９によるインターネット電話装置を有するインターネット電話システムを示すブロック図
【図１０】本発明の実施の形態１０によるインターネット電話装置を有するインターネット電話システムを示すブロック図
【図１１】従来のインターネット電話装置を有するインターネット電話システムを示すブロック図
【符号の説明】
１　マイク
２　スピーカ
３　パソコン
４　インターネット電話ソフト
５　インターネット網
６　パソコン
７　インターネット電話ソフト
８、３７　ＵＳＢ
９　ＵＳＢ電話機
１０、３３　ＵＳＢインタフェース部
１１　呼び出し音波形データ書込み部
１２　呼び出し音波形データ記憶部
１３、４５　比較部
１４　ハンドセット駆動部
１５　ハンドセット
１６　ベル駆動部
１７　発音体
１８　加入者回線部
１９　フックアップ検知部
２０　回線切替え部
２１　ベル信号生成部
２２、３６　ＵＳＢ電話アダプタ
２３　アナログ電話機
２４　オルタネート番号検出部
２５　回線検出部
２６　オーディオドライバ
２７　ＵＳＢドライバ
２８　ＤＴＭＦ検出部
２９　キー信号変換部
３０　電話回線接続部
３１　２線−４線変換部
３２　Ａ／Ｄ・Ｄ／Ａ変換部
３４　ベル信号検出部
３５　キー信号生成部
３８　インターネット電話ゲートウェイ
３９　電話網
４０　呼び出し音生成部
４１　ＤＴＭＦ検出部
４２　音声データ書込み部
４３　オフフック音データ記憶部
４４　オンフック音データ記憶部
４６　オフフック音データ発生部
４７　オンフック音データ発生部
４８　電話回線
【図１】
2004128789.tif 000003
【図２】
2004128789.tif 000004
【図３】
2004128789.tif 000005
【図４】
2004128789.tif 000006
【図５】
2004128789.tif 000007
【図６】
2004128789.tif 000008
【図７】
2004128789.tif 000009
【図８】
2004128789.tif 000010
【図９】
2004128789.tif 000011
【図１０】
2004128789.tif 000012
【図１１】
2004128789.tif 000013